(57)【要約】      （修正有）【課題】製品の正常・異常を目視で容易に判断でき、異常のある製品の欠陥の箇所を後工程で容易に見つけることができる安価な製品検査用付箋及び製品検査用付箋収納ラックを提供する。【解決手段】先端の尖った矢印形状をした接着部と、接着部に取り付けられ、検査対象のプリント基板の最大長さの半分よりも長い、切断可能な札部と、を備えた製品検査用付箋１を検査対象のプリント基板の欠陥箇所に貼り付け、後工程でプリント基板の欠陥箇所を発見しやすくする。また、製品検査用付箋１の所定の枚数の幅ごとに識別用マークを付した収納板４０を脚部５０で支持し、製品検査用付箋１を複数枚貼り付けできるようにし、製品検査用付箋１の使用枚数を分かりやすくした製品検査用付箋収納ラック５とする。【選択図】図３
0003181964.tif 000002
【実用新案登録請求の範囲】
【請求項１】
検査対象の製品の表面の欠陥箇所に、引き剥がし可能に接着する接着部と、
前記接着部に取り付けられ、少なくとも、前記検査対象の製品を構成する面の最大長さの半分よりも長い、切断可能な札部と、
を備えたことを特徴とする製品検査用付箋。
【請求項２】
請求項１に記載の製品検査用付箋において、
前記接着部は、矢印の形状を有していることを特徴とする製品検査用付箋。
【請求項３】
請求項１又は請求項２に記載の製品検査用付箋の接着部を貼り付けて横に複数並べるための収納板と、
前記収納板を、少なくとも１個支持する脚部と、
を備えたことを特徴とする製品検査用付箋収納ラック。
【請求項４】
請求項３に記載の製品検査用付箋収納ラックにおいて、
前記収納板は、前記複数並べた製品検査用付箋の所定の枚数の幅ごとに識別用マークが付されていることを特徴とする製品検査用付箋収納ラック。
【考案の詳細な説明】
【技術分野】
【０００１】
本考案は、製品の検査時に用い、製品の欠陥箇所を分かりやすく示す製品検査用付箋及び製品検査用付箋収納ラックに関する。
【背景技術】
【０００２】
従来、はんだ付部や部品実装の目視検査装置において、前工程の外観検査装置で発見した被修正プリント基板の不良箇所の位置データにより位置決め動作を行う被修正プリント基板を搭載するＸＹ駆動ステージ機構と、該ＸＹ駆動ステージ機構上部に配置され、前記被修正プリント基板の不良箇所を観察するための映像を得るビデオカメラと、該ビデオカメラの近傍でかつ、前記ＸＹステージ機構上部に配置され、前記被修正プリント基板の不良箇所にマーキングをするマーキング機構とを有することを特徴とする不良箇所の目視判定マーキング装置がある（例えば特許文献１参照）。
【先行技術文献】
【特許文献】
【０００３】
【特許文献１】特開平８−２２００１２号公報
【考案の概要】
【考案が解決しようとする課題】
【０００４】
ところが、この目視判定マーキング装置は、プリント基板の不良箇所にマーキングするだけの装置であるため、検査後のプリント基板を後工程に送るために縦に重ねたり、横に並べたりした場合、どのプリント基板が正常でどの基板が異常であるかが一目で分からないという問題がある。
【０００５】
また、この目視判定マーキング装置は、同じ形状で同じ回路パターンの大量のプリント基板を検査するには適しているが、中量生産や少量生産されるプリント基板を検査するには、非常に大がかりな装置で、高価であるという問題もある。
【０００６】
本考案は、こうした問題に鑑みなされたもので、プリント基板等の製品の正常・異常を目視で容易に判断でき、異常のある製品の欠陥の箇所を後工程で容易に見つけることができる安価な製品検査用付箋及び製品検査用付箋収納ラックを提供することを目的とする。
【課題を解決するための手段】
【０００７】
この欄においては、考案に対する理解を容易にするため、必要に応じて「考案を実施するための形態」欄において用いた符号を付すが、この符号によって請求の範囲を限定することを意味するものではない。
【０００８】
上記「考案が解決しようとする課題」において述べた問題を解決するためになされた考案は、接着部（１０）と札部（２０）を備えた製品検査用付箋（１）である。
接着部（１０）は、検査対象の製品（３０）の表面の欠陥箇所に、引き剥がし可能に接着する部分であり、札部（２０）は、接着部（１０）に取り付けられ、少なくとも検査対象の製品（３０）を構成する面の最大長さの半分よりも長い、切断可能な部分である。
【０００９】
このような製品検査用付箋（１）は、製品（３０）の検査をした結果、その表面に欠陥があった場所に、接着部（１０）を貼り付けることにより、欠陥箇所を明示し、補修工程を行う作業者が欠陥箇所を分かりやすくし、補修工程の作業効率を向上させることができる。
【００１０】
さらに、接着部（１０）に取り付けられている札部（２０）は、少なくとも、検査対象の製品（３０）を構成する面の長さの最大長の半分よりも長くなっているため、製品（３０）の欠陥箇所に接着部（１０）を貼り付けると、札部（２０）の一端が製品（３０）を構成する面の外縁の外に出る。
【００１１】
すると、検査を行った製品（３０）を重ねたり並べたりして保管した場合に、製品（３０）が重なっている状態で、正常な製品（３０）と異常があった製品（３０）とを簡単に識別することができ、さらに、異常があった製品（３０）において、その異常箇所を容易に認識することができる。
【００１２】
したがって、検査員は異常があった製品（３０）とその異常箇所を簡単に目視で発見できるので、作業効率を向上させることができる。
また、札部（２０）が切断可能であるため、製品（３０）を構成する面の外縁の外に出る札部（２０）が長すぎる場合には、その部分を切断すれば、札部（２０）を適切な長さにすることができ、使いやすい製品検査用付箋（１）とすることができる。
【００１３】
なお、「検査対象の製品（３０）を構成する面の最大長さ」とは、例えば、製品（３０）がプリント基板やシート状の板材であった場合には、シート面の外縁の２点を結んだ長さの最大値を意味しており、製品（３０）が長方形の場合には、頂点を斜めに結んだ長さをいう。
【００１４】
また、製品（３０）が立体形状の場合には、その立体を形成する面のうちの外縁の２点を結んだ長さの最大値を意味しており、例えば、製品（３０）を構成する面が長方形の場合には、頂点を斜めに結んだ長さをいう。
【００１５】
さらに、製品（３０）が立体形状であって、球形（楕円体を含む）の場合には、投射面の最大長さとなる２点を結んだ長さを意味している。
また、接着部（１０）の形状を請求項２に記載のように、矢印の形状とすると、検査で発見された製品（３０）の欠陥が微細なものであっても、見やすく指示することができるので、作業効率をより向上させることができる。
【００１６】
ところで、請求項１又は請求項２に記載の製品検査用付箋（１）は、札部（２０）が長く、しかも工場などで大量に使用されるため、通常の付箋のように重ねて収納しておくと使い難いものとなる。
【００１７】
そこで、請求項３に記載のように、請求項１又は請求項２に記載の製品検査用付箋（１）の接着部（１０）を貼り付けて横に複数並べるための収納板（４０）と、収納板（４０）を、少なくとも１個支持する脚部（５０）と、を備えた製品検査用付箋収納ラック（５）とするとよい。
【００１８】
このようにすると、札部（２０）の長い製品検査用付箋（１）を横方向に並べ、さらに、その製品検査用付箋（１）を少なくとも１個収納しておくことができる。
つまり、多数の製品検査用付箋（１）を整理して並べておくことができるので使いやすく便利である。また、使用した製品検査用付箋（１）の消費状態が目視ですぐに分かるので、製品検査用付箋（１）の補給時期を容易に知ることができる。
【００１９】
さらに、製品検査用付箋（１）を複数横に貼り付けて並べた収納板（４０）を、脚部（５０）で複数支持するようにしておけば、すべての製品検査用付箋（１）を使い切った収納板（４０）を、脚部（５０）から取り外し、次の収納板（４０）に並べられた製品検査用付箋（１）を使用すればよいので、使用者にとって使いやすく便利である。
【００２０】
さらに、請求項４に記載のように、収納板（４０）は、複数並べた製品検査用付箋１の所定の枚数の幅ごとに識別用マークを付すようにすると、製品検査用付箋（１）を端から剥がしながら使用すれば、何枚の製品検査用付箋（１）を使用したかが目視によって容易に分かるので、使いやすく、また、製品（３０）にどの程度の欠陥が発生したかも容易に分かるようになる。
【図面の簡単な説明】
【００２１】
【図１】製品検査用付箋の概略の構成を示す外観図である。
【図２】プリント基板に製品検査用付箋を貼り付けた様子を示す図である。
【図３】製品検査用付箋収納ラックの概略の構成を示す外観図である。
【考案を実施するための形態】
【００２２】
以下、本考案が適用された実施形態について図面を用いて説明する。なお、本考案の実施の形態は、下記の実施形態に何ら限定されることはなく、本考案の技術的範囲に属する限り種々の形態を採りうる。
［第１実施形態］
本考案が適用された製品検査用付箋１の第１実施形態について説明する。なお、第１実施形態では、説明を簡単にするため、検査対象の製品としてプリント基板３０を用いて説明する。
【００２３】
図１は、本考案が適用された製品検査用付箋１の概略の外観を示す外観図である。図１に示すように、製品検査用付箋１は、接着部１０及び札部２０を備えている。
接着部１０は、検査対象のプリント基板３０の欠陥箇所に、引き剥がし可能に接着する部分であり、プラスチックやアクリルあるいはビニールなどの樹脂の片面に引き剥がし可能な接着剤が塗布されている。
【００２４】
この接着剤は、通常市販されている付箋の接着剤よりも接着力が大きいものであり、べーク板等の基板の表面にコーティング剤が塗布されているプリント基板に接着できるものである。
【００２５】
接着部１０は、先端が尖った矢印の形状を有しており、矢印の先端でプリント基板３０の欠陥の箇所を示すように貼り付けられるようになっている。
札部２０は、接着部１０に取り付けられ、少なくとも、検査対象のプリント基板３０の最大長さの半分よりも長い、切断可能な細長い札（いわゆるタグ）である。
【００２６】
札部２０は、紙を細長い長方形に形成したものであり、プリント基板３０を検査する作業者が手でちぎるようにして切断できるようになっている。
また、接着部１０及び札部２０は着色されている。例えば、プリント基板３０の欠陥が手直しすれば良品になるような場合には、接着部１０を赤色、札部２０を白色とし、手直し不可能である場合には、接着部１０を緑色、札部２０を黄色に着色してある。
（製品検査用付箋１の特徴）
以上のような製品検査用付箋１は、プリント基板３０の検査をした結果、図２に示すように、欠陥があった場所に、接着部１０を貼り付けることにより、欠陥箇所を明示し、補修工程を行う作業者が欠陥箇所を分かりやすくし、補修工程の作業効率を向上させることができる。
【００２７】
さらに、接着部１０に取り付けられている札部２０は、検査対象のプリント基板３０の長さの最大長の半分よりも長くなっているため、プリント基板３０の欠陥箇所に接着部１０を貼り付けると、札部２０の一端がプリント基板３０の外縁の外に出る。
【００２８】
したがって、検査を行ったプリント基板３０を重ねたり、縦に並べて置いたりした場合に、プリント基板３０が重なっている状態で、正常なプリント基板３０と異常があったプリント基板３０とを簡単に識別することができるので、作業効率を向上させることができる。
【００２９】
また、札部２０が切断可能であるため、プリント基板３０の外縁の外に出る札部２０が長すぎる場合には、その部分を切断すれば、札部２０を適切な長さにすることができ、使いやすい製品検査用付箋１とすることができる。
【００３０】
さらに、接着部１０の形状が矢印状になっているため、検査で発見されたプリント基板３０の欠陥が微細なものであっても、見やすく指示することができるので、作業効率をより向上させることができる。
［第２実施形態］
次に、図３に基づき、第１実施形態の製品検査用付箋１を収納するための製品検査用付箋収納ラック５について説明する。図３（ａ）は、製品検査用付箋収納ラック５の正面図、図３（ｂ）は、側面図である。
【００３１】
図３に示すように、製品検査用付箋収納ラック５は、収納板４０及び脚部５０を備えている。
収納板４０は、製品検査用付箋１の接着部１０を貼り付けて横に複数並べるための板であり、貼り付けた接着部１０を剥がしやすいように、ベーク板あるいは、プラスチックやアクリルなどの樹脂製の板である。
【００３２】
また、収納板４０には、複数並べた製品検査用付箋１の所定の枚数（本実施形態では５枚）の幅ごとに識別用マークとして、着色した▽の記号が付されている（図３中に「Ａ」で示す）。
【００３３】
脚部５０は、左右一対の脚５１，５２と、左右一対の脚５１，５２の間に渡された上部補強材５４及び下部補強材５６を備えている。
脚５１は、支柱部５１ａ、基部５１ｂ及び支持部５１ｃから成り、支柱部５１ａは、脚５１の中央部分に位置に柱状形成されており、基部５１ｂは、支柱部５１ａの下端部の、その幅が支柱部５１ａの幅より広くなるように形成されている。
【００３４】
支持部５１ｃは、支柱部５１ａの上端部を、その幅が支柱部５１ａの幅より広くなるように形成されており、さらに支持部５１ｃの上端部分は凹状に切り欠かれている。
凹部の２つの突起のうち一方（図３（ａ）中奥側、図３（ｂ）中右側）の突起は、他方（図３（ａ）中手前側、図３（ｂ）中左側）の突起より下がった位置に設けられており、それに伴い、凹部の底辺は図３（ａ）中手前側から奥側に向かって（図３（ｂ）中左側から右側に向かって）、斜めに下がって形成されている。
【００３５】
また、支柱部５１ａ、基部５１ｂ及び支持部５１ｃは、ベーク板あるいは、プラスチックやアクリルなどの樹脂で作られている。
脚５２は、脚５１と左右対称の構成であり、図３中に符号を付して、その説明は省略する。
【００３６】
上部補強材５４は、ベーク板あるいは、プラスチックやアクリルなどの樹脂製の長方形状の平板であり、脚５１の支持部５１ｃと脚５２の支持部５２ｃの図３（ａ）中奥側の突起の間に、平板が設置面に対し縦になるように渡されて固定されている。
【００３７】
また、下部補強材５６も、ベーク板あるいは、プラスチックやアクリルなどの樹脂製の長方形状の平板であり、脚５１の基部５１ｂと約５２の基部５２ｂとの間に平板が接地面と平行になるように固定されている。
【００３８】
このような脚部５０に対し、図３に示すように、支持部５１ａ，５２ａの凹部に、製品検査用付箋１を並べて貼り付けた収納板４０を、奥側から手前側に複数枚並べて収納する。
【００３９】
以上のような製品検査用付箋収納ラック５では、札部２０の長い製品検査用付箋１を収納板４０に横方向に並べて収納し、さらにその収納板４０を複数枚収納しておくことができる。つまり、多数の製品検査用付箋１を整理して収納しておくことができるので、使用者にとって使いやすく便利である。
【００４０】
さらに、複数並べた製品検査用付箋１の所定の枚数の幅ごとに識別用マークが付してあるので、製品検査用付箋１を端から剥がしながら使用していくと、何枚の製品検査用付箋１を使用したかが目視によって容易に分かるので、使いやすく、また、プリント基板３０にどの程度の欠陥が発生したかも容易に分かるようになる。
【００４１】
また、プリント基板３０が手直しすれば良品となる場合と手直し不可能な場合とで、接着部１０と札部２０とを色分けして着色してある。つまり、検査対象製品（プリント基板３０）の不良の種類によって製品検査用付箋の色を変えてあるので、検査工程の後工程である手直し工程における作業の要否が一目で分かる。したがって、手直し工程の効率を向上させることができる。
［その他の実施形態］
以上、本考案の実施形態について説明したが、本考案は、本実施形態に限定されるものではなく、種々の態様を採ることができる。
（１）上記実施形態では、検査対象となる製品をプリント基板３０としたが、フレキシブル基板などのシート状の製品であってもよく、また、立方体や直方体あるいは球形や楕円球形のような立体形状の製品であってもよい。
（２）上記実施形態では、札部２０は紙製であったが、所定の間隔（例えば、５［ｍｍ］）でミシン目を入れるなど、切り取りやすくしてもよい。また、その場合、札部２０は紙製でなく樹脂製などであってもよい。
（３）上記第２実施形態では、製品検査用付箋１の所定の枚数の幅ごとに着色した「▽」の記号を付していたが、記号の代わりに、所定枚数の幅ごとに収納板４０の色を変えるようにしてもよい。
【符号の説明】
【００４２】
１… 製品検査用付箋  ５… 製品検査用付箋収納ラック  １０… 接着部  ２０… 札部  ３０… プリント基板  ４０… 収納板  ５０… 脚部  ５１，５２… 脚  ５１ａ，５２ａ… 支柱部  ５１ｂ，５２ｂ… 基部  ５１ｃ，５２ｃ… 支持部  ５４… 上部補強材  ５６… 下部補強材。
【図１】
0003181964.tif 000003
【図２】
0003181964.tif 000004
【図３】
0003181964.tif 000005